【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
Ａ０サイズまでの原稿からの反射光を読み取って得られる読取画像データについて画像処理部で画像処理を施し、該画像処理後の画像データに基づいて感光体に光書き込みを行って画像を形成する画像形成装置において、
前記読取画像データを電気変倍処理する第１の変倍処理部と、第１の変倍処理部で変倍処理したデータを格納するフレームメモリを備えたメモリ部と、該フレームメモリに格納された画像データを用いて出力画像の大きさを調整するために設定された変倍率で電気変倍処理を行う第２の変倍処理部とを有する画像処理部と、
ＬＥＤヘッド及び感光体を有し、前記画像処理が施された画像データに基づいたＬＥＤヘッドからの光により感光体に光書き込みを行って画像を形成するプリンタ部と、
を備えることを特徴とする画像形成装置。
【請求項２】
Ａ０サイズまでの原稿からの反射光を読み取って得られる読取画像データについて画像処理部で画像処理を施し、該画像処理後の画像データに基づいて感光体に光書き込みを行って画像を形成する画像形成装置において、
画像データを電気変倍処理する変倍処理部と、画像データを格納するフレームメモリを備えるメモリ部と、切り替えにより前記変倍処理部をメモリ部前段側またはメモリ部後段側で使用可能にするセレクタとを有し、前記セレクタの切り替えにより前記変倍処理部をメモリ部前段側で使用するようにして、該変倍処理部で前記読取画像データを電気変倍処理し、該変倍処理した画像データをフレームメモリに格納し、ついで前記セレクタの切り替えにより前記変倍処理部をメモリ部後段側で使用するようにして、該変倍処理部で前記フレームメモリに格納された画像データを用いて出力画像の大きさを調整するために設定された変倍率で電気変倍処理を行う画像処理部と、
ＬＥＤヘッド及び感光体を有し、前記画像処理が施された画像データに基づいたＬＥＤヘッドからの光により感光体に光書き込みを行って画像を形成するプリンタ部と、
を備えることを特徴とする画像形成装置。
【請求項３】
前記感光体へ光書き込みされる画像の主走査方向の倍率調整は、前記画像処理部における電気変倍処理により行われ、
該感光体へ光書き込みされる画像の副走査方向の倍率調整は、前記メモリ部から出力される画像データに対応した主走査同期信号の間隔の制御により行われることを特徴とする請求項１または２に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、読み取った原稿画像情報を電気信号に変換し、デジタル処理してレーザにより感光体上に光書き込みを行って画像を形成するデジタル複写機等の画像形成装置に関し、特に変倍制御技術に関する。
【手続補正４】
【補正対象書類名】明細書
【補正対象項目名】０００２
【補正方法】変更
【補正の内容】
【０００２】
デジタル複写機は、コンタクトガラス上に下向きに載置された原稿を光源により照射し、その反射光をイメージセンサ上にレンズにより結像して光電変換し、さらにＡ／Ｄ変換器でデジタル信号に変えて各種の画像処理を施す。また、画像処理後の画像情報信号により感光体上に画像情報の光書き込みを行って静電潜像を形成し、トナーで現像することで顕画像を得、この可視画像を給紙部から給紙されてきた用紙に転写することで、最終的に用紙上に画像を形成するようになっている。
【手続補正５】
【補正対象書類名】明細書
【補正対象項目名】０００６
【補正方法】変更
【補正の内容】
【０００６】
本発明は、このような背景に鑑みてなされたものであり、原稿の読み取りは一度しか行わずに、読み取った画像に対して変倍率を少しずつ変えて出力画像の大きさの微調整ができる画像形成装置を提供することを目的とする。
【手続補正６】
【補正対象書類名】明細書
【補正対象項目名】０００７
【補正方法】変更
【補正の内容】
【０００７】
上記目的を達成するために、請求項１記載の発明は、Ａ０サイズまでの原稿からの反射光を読み取って得られる読取画像データについて画像処理部で画像処理を施し、該画像処理後の画像データに基づいて感光体に光書き込みを行って画像を形成する画像形成装置において、前記読取画像データを電気変倍処理する第１の変倍処理部と、第１の変倍処理部で変倍処理したデータを格納するフレームメモリを備えたメモリ部と、該フレームメモリに格納された画像データを用いて出力画像の大きさを調整するために設定された変倍率で電気変倍処理を行う第２の変倍処理部とを有する画像処理部と、ＬＥＤヘッド及び感光体を有し、前記画像処理が施された画像データに基づいたＬＥＤヘッドからの光により感光体に光書き込みを行って画像を形成するプリンタ部と、を備えることを特徴とする。
【手続補正７】
【補正対象書類名】明細書
【補正対象項目名】０００８
【補正方法】変更
【補正の内容】
【０００８】
また上記目的を達成するために、請求項２記載の発明は、Ａ０サイズまでの原稿からの反射光を読み取って得られる読取画像データについて画像処理部で画像処理を施し、該画像処理後の画像データに基づいて感光体に光書き込みを行って画像を形成する画像形成装置において、画像データを電気変倍処理する変倍処理部と、画像データを格納するフレームメモリを備えるメモリ部と、切り替えにより前記変倍処理部をメモリ部前段側またはメモリ部後段側で使用可能にするセレクタとを有し、前記セレクタの切り替えにより前記変倍処理部をメモリ部前段側で使用するようにして、該変倍処理部で前記読取画像データを電気変倍処理し、該変倍処理した画像データをフレームメモリに格納し、ついで前記セレクタの切り替えにより前記変倍処理部をメモリ部後段側で使用するようにして、該変倍処理部で前記フレームメモリに格納された画像データを用いて出力画像の大きさを調整するために設定された変倍率で電気変倍処理を行う画像処理部と、ＬＥＤヘッド及び感光体を有し、前記画像処理が施された画像データに基づいたＬＥＤヘッドからの光により感光体に光書き込みを行って画像を形成するプリンタ部と、を備えることを特徴とする。
【手続補正８】
【補正対象書類名】明細書
【補正対象項目名】０００９
【補正方法】変更
【補正の内容】
【０００９】
また上記目的を達成するために、請求項３記載の発明は、請求項１または請求項２記載の発明において、前記感光体へ光書き込みされる画像の主走査方向の倍率調整は、前記画像処理部における電気変倍処理により行われ、該感光体へ光書き込みされる画像の副走査方向の倍率調整は、前記メモリ部から出力される画像データに対応した主走査同期信号の間隔の制御により行われることを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
請求項１記載の発明によれば、画質処理（量子化）前のデータをフレームメモリに蓄える形式の画像形成装置の場合、メモリ蓄積後の主走査電気変倍とメモリ部の主走査同期信号の周期の変更でメモリ蓄積後のデータ出力に対する変倍率の微調整が可能となる。このため、１度メモリに蓄積した画像出力に対する画像サイズの微調整を行う場合、再び原稿の走査を行う必要がない。これにより、Ａ０までの大型の原稿を扱う複写機の場合、原稿の読み取りは一度しか行わずに、読み取った画像に対して変倍率を少しずつ変えて出力画像の大きさの微調整ができる。
また、請求項１記載の発明において、前記フレームメモリの前段に画質処理部を備え、第１の変倍処理部で電気変倍処理し、かつ、画質処理部で画質処理した画像データをフレームメモリに格納すると共に、該フレームメモリに格納された画像データを第２の変倍処理部で電気変倍処理するようにしてもよい。これにより、画質処理（量子化）後のデータをフレームメモリに蓄える形式の画像形成装置の場合、メモリ蓄積後の主走査電気変倍とメモリ部の主走査同期信号の周期の変更でメモリ蓄積後のデータに対する変倍率の微調整が可能となる。このため、１度メモリに蓄積した画像出力に対する画像サイズの微調整を行う場合、再び原稿の走査を行う必要がない。
さらに、請求項１記載の発明において、前記フレームメモリ後段の第２の変倍処理部に用いるＦＩＦＯメモリを、前記フレームメモリ前段の第１の変倍処理部のＦＩＦＯメモリよりも小さくするとよい。これにより、メモリ蓄積後に行う変倍処理の変倍回路のＦＩＦＯメモリを前段のＦＩＦＯメモリより小さくしているので、回路規模が小さくなる。
【手続補正１１】
【補正対象書類名】明細書
【補正対象項目名】００１２
【補正方法】変更
【補正の内容】
【００１２】
請求項２記載の発明によれば、メモリ蓄積前に行う変倍動作とメモリ蓄積後に行う変倍動作を共通の変倍処理回路で行えるので、回路規模が小さくなる。
【手続補正１２】
【補正対象書類名】明細書
【補正対象項目名】００１３
【補正方法】変更
【補正の内容】
【００１３】
請求項３記載の発明によれば、主走査方向の変倍率の微調整とともに、副走査方向の変倍率の微調整が可能となる。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
以下、本発明の実施の形態を添付図面を参照しながら説明する。図１は画像形成装置の一態様であるデジタル複写機の全体構成図である。
【手続補正１５】
【補正対象書類名】明細書
【補正対象項目名】００３６
【補正方法】変更
【補正の内容】
【００３６】
この実施の形態により、画質処理後のデータをメモリに蓄える構成を持つデジタル複写機において、メモリ蓄積後のデータに対する変倍率の微調整が可能となる。すなわち、Ａ０までの大型の原稿を扱う複写機の場合、原稿の読み取りは一度しか行わずに、読み取った画像に対して変倍率を少しずつ変えて出力画像の大きさの微調整ができる。
【手続補正１６】
【補正対象書類名】明細書
【補正対象項目名】００４１
【補正方法】変更
【補正の内容】
【００４１】
この実施の形態により、画質処理後のデータをメモリに蓄える構成を持つデジタル複写機において、メモリ蓄積後のデータに対する変倍率の微調整が可能となる。すなわち、Ａ０までの大型の原稿を扱う複写機の場合、原稿の読み取りは一度しか行わずに、読み取った画像に対して変倍率を少しずつ変えて出力画像の大きさの微調整ができる。
【手続補正１７】
【補正対象書類名】明細書
【補正対象項目名】００４６
【補正方法】変更
【補正の内容】
【００４６】
この実施の形態により、画質処理後のデータをメモリに蓄える構成を持つデジタル複写機において、メモリ蓄積後のデータに対する変倍率の微調整が可能となる。すなわち、Ａ０までの大型の原稿を扱う複写機の場合、原稿の読み取りは一度しか行わずに、読み取った画像に対して変倍率を少しずつ変えて出力画像の大きさの微調整ができる。仕様上、メモリへの読み込み前の変倍回路とメモリから読み出した後の変倍回路が同時使用されない場合、変倍回路を共通利用することでハードウエアの増大を抑えることができる。